(57)【要約】【課題】泡噴出器の使用後にそのまま放置しても目詰まりを生ずるおそれのない泡噴出器用の泡噴出ポンプ装置を提供する。【解決手段】吐出流路３８に泡立て用多孔部材２７・３７を間隔をあけて２つ設け、それら泡立て用多孔部材の噴口１４ｅ側に乾燥防止用多孔部材１４ｆを設ける。泡立て用多孔部材および乾燥防止用多孔部材は、ともにネット状で、泡立て用多孔部材は、有効に泡立てることができるように孔の大きさを０．１ｍｍ２以下とし、乾燥防止用多孔部材は、目詰まりを生じないように０．３ｍｍ２以上とする。液体と空気とを混合して泡立て用多孔部材により吐出流路３８で泡立て、押下げ釦１４内の乾燥防止用多孔部材１４ｆを通して噴口１４ｅから外部へと噴出する。【選択図】        図１
2004313925.tif 000002
【特許請求の範囲】
【請求項１】
液体と空気とを混合して泡立て用多孔部材を通して吐出流路で泡立てて噴口から噴出する、泡噴出器の泡噴出ポンプ装置において、
前記吐出流路における前記泡立て用多孔部材の前記噴口側に乾燥防止用多孔部材を設けることを特徴とする、泡噴出ポンプ装置。
【請求項２】
前記泡立て用多孔部材の孔の大きさを０．１ｍｍ２以下とすることを特徴とする、請求項１に記載の泡噴出ポンプ装置。
【請求項３】
前記吐出流路に前記泡立て用多孔部材を間隔をあけて２以上設けることを特徴とする、請求項１または２に記載の泡噴出ポンプ装置。
【請求項４】
前記乾燥防止用多孔部材の孔の大きさを０．３ｍｍ２以上とすることを特徴とする、請求項１ないし３のいずれか１に記載の泡噴出ポンプ装置。
【請求項５】
請求項１ないし４のいずれか１に記載の泡噴出ポンプ装置を備えることを特徴とする、泡噴出器。
【発明の詳細な説明】
【０００１】
【発明の属する技術分野】
この発明は、使用時にステムを押し込んで容器の内容物に空気を混合して多孔部材を通して内容物を泡立て、ステムに取り付けるスパウト等の噴口から噴出する、ハンドソープ用やシェービングフォーム用や洗顔フォーム用などの泡噴出器に関する。および、そのような泡噴出器において、容器の口部に取り付けて容器の内容物を噴出する泡噴出ポンプ装置に関する。
【０００２】
【従来の技術】
【特許文献１】実開平６−３２３４６号公報
【特許文献２】実開平６−５７８３８号公報
従来、ハンドソープ用やシェービングフォーム用等の泡噴出器には、例えば特許文献１や特許文献２に記載されるようなものがあった。
【０００３】
それは、例えば図３に示すように、ステム１に、内容物吐出流路ａと空気吐出流路ｂと混合液吐出流路ｃを設け、内容物吐出流路ａの出口にはスプリング２で付勢してボール弁３を押し当てる。そのステム１には、第１の多孔部材４を挟んでスパウト５を取り付ける。スパウト５には、先端に噴口６を有する吐出流路７途中に第２の多孔部材８を保持する。第１の多孔部材４はスパウト５内に挿入するリング状部材４ａの一側にネット状等の多孔シート４ｂを取り付けてなり、第２の多孔部材８はスパウト５内に圧入する筒状部材８ａの端部にネット状等の多孔シート８ｂを取り付けてなる。
【０００４】
そして、使用時は、スパウト５に手を掛けてステム１を押し込み、不図示の容器の内容物を内容物吐出流路ａに入れ、スプリング２に抗してボール弁３を開いて混合液吐出流路ｃに吐出する一方、導入した空気を空気吐出流路ｂを通して混合液吐出流路ｃに入れ、その混合液吐出流路ｃで内容物に空気を混合して第１の多孔部材４の多孔シート４ｂを通して内容物を泡立て、スパウト５の吐出流路７を通して吐出するとき、第２の多孔部材８の多孔シート８ｂを通してさらに泡立て噴口６から外部へと噴出していた。
【０００５】
【発明が解決しようとする課題】
ところが、この種の泡噴出器では、泡立てた内容物を噴出することから、噴口６を比較的大きく形成していた。また、有効に泡立てることができるように、多孔シート４ｂ・８ｂの１つの孔の大きさをともに０．１ｍｍ２以下の小さな孔としていた。
【０００６】
このため、使用後にそのまま放置すると、噴口６内の、特に噴口６寄りの多孔シート８ｂに付着したまま残った内容物が空気と接触して乾燥し、固化して孔を塞ぎ、多孔シート８ｂが目詰まりを生じてその後の使用に支障をきたす問題があった。
【０００７】
そこで、この発明の第１の目的は、泡噴出器の使用後にそのまま放置しても、泡立て用多孔部材が目詰まりを生ずるおそれのない泡噴出器用の泡噴出ポンプ装置を提供することにある。
【０００８】
この発明の第２の目的は、噴出する内容物を確実に泡立てることができるようにした泡噴出器用の泡噴出ポンプ装置を提供することにある。
【０００９】
この発明の第３の目的は、泡噴出器の使用後に噴口内に残った内容物が空気と接触して乾燥しても、目詰まりを生じない泡噴出器用の泡噴出ポンプ装置を提供することにある。
【００１０】
この発明の第４の目的は、上述した各目的を達成した泡噴出ポンプ装置を備えた泡噴出器を提供することにある。
【００１１】
【課題を解決するための手段】
請求項１に記載の発明は、上述した第１の目的を達成すべく、液体と空気とを混合して泡立て用多孔部材を通して吐出流路で泡立てて噴口から噴出する、泡噴出器の泡噴出ポンプ装置において、吐出流路における泡立て用多孔部材の噴口側に乾燥防止用多孔部材を設ける、ことを特徴とする。
【００１２】
請求項２に記載の発明は、上述した第２の目的も達成すべく、請求項１に記載の泡噴出ポンプ装置において、泡立て用多孔部材の孔の大きさを０．１ｍｍ２以下とする、ことを特徴とする。
【００１３】
請求項３に記載の発明は、同じく上述した第２の目的も達成すべく、請求項１または２に記載の泡噴出ポンプ装置において、吐出流路に泡立て用多孔部材を間隔をあけて２以上設ける、ことを特徴とする。
【００１４】
請求項４に記載の発明は、上述した第３の目的も達成すべく、請求項１ないし３のいずれか１に記載の泡噴出ポンプ装置において、乾燥防止用多孔部材の孔の大きさを０．３ｍｍ２以上とする、ことを特徴とする。
【００１５】
請求項５に記載の発明は、上述した第４の目的も達成すべく、請求項１ないし４のいずれか１に記載の泡噴出ポンプ装置を備えることを特徴とする、泡噴出器である。
【００１６】
【発明の実施の形態】
以下、図面を参照しつつ、この発明の実施の形態につき説明する。
図１は、この発明による泡噴出ポンプ装置を備える泡噴出器の不使用時における縦断面図である。この噴出器は、容器１０の口部１０ａに泡噴出ポンプ装置１１を取り付けて構成する。
【００１７】
その容器１０は、ボトル形状で、口部１０ａ外周におねじを有し、内部に内容物として、ハンドソープ用やシェービングフォーム用や洗顔フォーム用などの図示しない液体を収納する。
【００１８】
一方、泡噴出ポンプ装置１１は、ポンプ本体１２や噴出管１３や押下げ釦１４などで構成する。そのポンプ本体１２には、縦長に配置してシリンダ１５を設ける。そのシリンダ１５は、途中に四つの段部１５ａ・１５ｂ・１５ｃ・１５ｄを設けて下方に向け順次小径としてなる。そのシリンダ１５の段部１５ａ上には、上端部外周に外向き凸部１５ｇを設け、その段部１５ａのまわりには、フランジ１５ｆを設けるとともに、段部１５ｂのすぐ下に径方向に貫通する横孔１５ｅをあける。シリンダ１５の段部１５ｄ下には、下端内に吸込口１５ｈを設ける。シリンダ１５の内部には、段部１５ｄのすぐ下に下方に向けて漸次小径となる弁座１５ｉを設ける。そして、吸込口１５ｈに吸上げ管１８の上端を入れ、その吸上げ管１８内とシリンダ１５内とを連通してシリンダ１５に吸上げ管１８を接続する。
【００１９】
そして、シリンダ１５内には、ボール弁１９を入れて弁座１５ｉ上に乗せてから、コイル状の付勢部材２０を挿入しその下端を段部１５ｄに乗せてなる。その後、シリンダ１５内には、第１の弁２１および第２の弁２２を取り付けた噴出管１３を挿入する。
【００２０】
噴出管１３は、第１ピストン２３と第２ピストン２４とステム２５を連結して構成する。第１ピストン２３は、内部に上向きに開口する軸孔２３ａを設けるとともに、下端に拡径部２３ｂを設け、該拡径部２３ｂの内部に下向きに開口する拡径凹部２３ｃを形成する。その拡径部２３ｂのすぐ上には、外径の小さな小径部２３ｄを設ける。また、小径部２３ｄとその少し上には、それぞれ径方向に貫通して軸孔２３ａと連通する横孔２３ｅ・２３ｆをあける。
【００２１】
第２ピストン２４は、内部に上下に貫通する軸孔２４ａを設け、上部外周に円形状のフランジ２４ｂを設ける。そのフランジ２４ｂの上面には、半径方向に凹溝２４ｃを形成する。そして、軸孔２４ａの下部内に第１ピストン２３の上端部を圧入しそれら第２ピストン２４の軸孔２４ａと第１ピストン２３の軸孔２３ａとを連通してなる。
【００２２】
さらに、ステム２５は、内部に上下に貫通する軸孔２５ａを設け、下端部２５ｂ外面に縦溝２５ｃを形成する。下端部２５ｂ外周には同心で拡径部２５ｄを設け、その内部には下向き凹部２５ｅを形成する。また、拡径部２５ｄの上にはそれよりやや小径の環状凸部２５ｆを立ち上げ、その内部に上向き凹部２５ｇを形成する。そして、軸孔２５ａの下端部内にネット状の多孔部材２７を入れてから第２ピストン２４の上端部を嵌め入れ、それらステム２５の軸孔２５ａと第２ピストン２４の軸孔２４ａとを連通するとともに、縦溝２５ｃとフランジ２４ｂの凹溝２４ｃを連通して第２ピストン２４とステム２５とを接続する。
【００２３】
ところで、第１の弁２１は、例えばゴムなどの弾性部材で短い筒形状に形成し、内周に環状凸部２１ａを設ける。そして、該環状凸部２１ａを第１ピストン２３の小径部２３ｄ外周面に押し当てて密着して取り付けるとともに、噴出管１３に対して相対移動自在に設ける。
【００２４】
また、第２の弁２２は、例えば同様にゴムなどの弾性部材で外筒部２２ａと内筒部２２ｂとを同心で形成し、外筒部２２ａをやや長い円筒形状とする一方、内筒部２２ｂを断面ハの字状の短い円筒形状とする。そして、ステム２５に第２ピストン２４を接続するとき、該第２ピストン２４のフランジ２４ｂ上に乗せて取り付けるとともに、ステム２５の下向き凹部２５ｅ内に内筒部２２ｂを入れ、該内筒部２２ｂの上端内周をステム２５の下端部２５ｂ外面に押し当てて取り付け、噴出管１３に対して相対移動自在に設ける。
【００２５】
上述した噴出管１３は、下部をシリンダ１５内に挿入し、拡径凹部２３ｃ内に付勢部材２０の上端を入れてそれに乗せ、第１の弁２１および第２の弁２２をそれぞれシリンダ１５の内面に押し当て摺動自在に設ける。そして、シリンダ１５内には、液室３０および空気室３１を形成する。
【００２６】
そして、そのシリンダ１５には、ねじキャップ３４を取り付けてその頂部内面をフランジ１５ｆ上に乗せてなる。また、該ねじキャップ３４の中心孔を通して突出するシリンダ１５の上端部には、嵌合部材３５を被せてなる。その嵌合部材３５は、外筒部３５ａと内筒部３５ｂとを同心で一体に形成する。その外筒部３５ａは、内周に係合突起３５ｃを設ける。
【００２７】
そして、シリンダ１５の上端部に外筒部３５ａを嵌合し、係合突起３５ｃをシリンダ１５の外向き凸部１５ｇに掛け止めて嵌合部材３５の抜けを防止するとともに、外筒部３５ａとフランジ１５ｆ間でねじキャップ３４を挾持する。一方、ステム２５の上向き凹部２５ｇ内に内筒部３５ｂをはめ入れその下端を突き当てて噴出管１３を押し下げ、付勢部材２０を少し圧縮して設け、その付勢力でフランジ２４ｂ上面を第２の弁２２の内筒部２２ｂ下端に押し当てる。
【００２８】
このとき、嵌合部材３５の内筒部３５ｂ内を通して噴出管１３の上端部を上方へ突出し、上端に押下げ釦１４を取り付けてなる。
【００２９】
その押下げ釦１４は、頂面に指当て部１４ａを有する筒状で、内部に軸方向にのびる縦流路１４ｂとその上部から径方向にのびる横流路１４ｃとを有し、縦流路１４ｂの下部入口にステム嵌合部１４ｄを設ける一方、横流路１４ｃの出口に噴口１４ｅをあける。そして、縦流路１４ｂと横流路１４ｃの境界にネット状の乾燥防止用多孔部材１４ｆを設ける。乾燥防止用多孔部材１４ｆは、押下げ釦１４と別体でもよいが、図示例では、押下げ釦１４の成形時にそれと一体で形成する。
【００３０】
そして、ステム嵌合部１４ｄ内にネット状の多孔部材３７を入れてから、噴出管１３の上端部を圧入し、押下げ釦１４内の縦流路１４ｂと噴出管１３内の軸孔２５ａとを連通して接続する。これにより、軸孔２３ａ・２４ａ・２５ａと縦流路１４ｂと横流路１４ｃとで、横孔２３ｅ・２３ｆから噴口１４ｅに達する吐出流路３８を形成する。そして、その吐出流路３８における泡立て用多孔部材２７・３７の噴口１４ｅ側に、乾燥防止用多孔部材１４ｆを設ける。
【００３１】
さて、泡立て用多孔部材は、吐出流路３８に間隔をあけて２以上設けることが好ましい。図示例では、ネット状の泡立て用多孔部材２７・３７を２つ設け、その泡立て用多孔部材２７・３７は、有効に泡立てることができるように、網目の孔の大きさをそれぞれ０．１ｍｍ２以下とする。これに対し、乾燥防止用多孔部材１４ｆは、それに付着したまま残った内容物が空気と接触して乾燥しても、目詰まりを生じないように網目の孔の大きさを０．３ｍｍ２以上として目を大きくすることが好ましい。
【００３２】
このように構成した泡噴出ポンプ装置１１は、容器１０内に吸上げ管１８を挿入してからシリンダ１５を挿入し、図示するように、容器１０の口部１０ａ外周にねじキャップ３４をねじ付けて取り付ける。
【００３３】
いま、この泡噴出器を使用するときは、指当て面１４ａに指を当て押下げ釦１４を付勢部材２０に抗して押し下げ、図２に示すように、噴出管１３をポンプ本体１２内に押し込む。すると、噴出管１３の押し込みにより第１の弁２１を押し下げて液室３０内の液圧を高める。そして、液圧の高まりとともに第１の弁２１を開位置へと移動して横孔２３ｅを開き、液室３０内の液体を横孔２３ｅを通して吐出流路３８に送り出す。
【００３４】
他方、噴出管１３を押し込むと、第２の弁２２がフランジ２４ｂ上面から離れて下向き凹部２５ｅ内の頂部内面または拡径部２５ｄ下端に押し当たり、空気室３１内とシリンダ１５上部内との連通を遮断して空気室３１内の圧を高める。そして、空気室３１内の空気を横孔２３ｆを通して吐出流路３８に送り出す。これにより、液体と空気とを混合して泡立て用多孔部材２７・３７を通して吐出流路３８で泡立て、押下げ釦１４内の乾燥防止用多孔部材１４ｆを通して噴口１４ｅから外部へと噴出する。
【００３５】
その後、泡噴出器の使用を止めるときは、押下げ釦１４から手を離すと、付勢部材２０の付勢力で噴出管１３を押し上げて図１に示す状態に復帰する。そのとき、第１の弁２１が閉位置へと移動して横孔２３ｅを塞ぎ、液室３０と噴出管１３内との連通を遮断する。そして、噴出管１３の押し上げにより液室３０内の圧が低下するとき、ボール弁１９を開いて液体を液室３０内に吸い上げる。
【００３６】
他方、噴出管１３を押し上げると、下向き凹部２５ｅ内の頂面または拡径部２５ｄ下端に対する第２の弁２２の押し当てを解除する一方、フランジ２４ｂ上面を第２の弁２２に押し当てる。そして、下向き凹部２５ｅ内の頂部内面および拡径部２５ｄ下端と第２の弁２２間の隙間、さらに縦溝２５ｃと凹溝２４ｃを通して空気室３１とシリンダ１５上部内とを連通する。これにより、噴出管１３の押し上げにより圧が低下する空気室３１内に、シリンダ１５上部内を通して外気を吸い込む。
【００３７】
なお、噴出管１３を押し込むとき、内筒部３５ｂと上向き凹部２５ｇとの嵌め合いが外れ、ステム２５と内筒部３５ｂ間の隙間を通してシリンダ１５上部内と外部とが連通する。そして、シリンダ１５の横孔１５ｅを通して容器１０内に外気を導入し、容器１０内の圧の低下を防止する。
【００３８】
ところで、上述した図示例では、噴口１４ｅを有する押下げ釦１４を用いたが、噴出部材は、図示するような押下げ釦１４に限らず、例えば図３に示すような嘴状のノズルを備えるものであってもよい。
【００３９】
【発明の効果】
以上説明したとおり、この発明によれば、吐出流路における泡立て用多孔部材の噴口側に乾燥防止用多孔部材を設けるので、泡噴出器の使用後にそのまま放置しても、乾燥防止用多孔部材で遮って空気の流通を悪くし、泡立て用多孔部材に付着したまま残った内容物が空気と接触して乾燥することを防ぎ、固化して目詰まりを生ずるおそれを解消することができる。
【００４０】
請求項２に記載の発明によれば、泡立て用多孔部材の個々の孔の大きさを０．１ｍｍ２以下として小さくするので、また請求項３に記載の発明によれば、吐出流路に泡立て用多孔部材を間隔をあけて２以上設けるので、内容物を確実に泡立て噴口から噴出することができる。
【００４１】
請求項４に記載の発明によれば、乾燥防止用多孔部材の孔の大きさを０．３ｍｍ２以上とするので、泡立て用多孔部材より目を大きくし、乾燥防止用多孔部材に付着したまま残った内容物が空気と接触して乾燥しても、目詰まりを生じないようにすることができる。
【００４２】
請求項５に記載の発明によれば、請求項１ないし４のいずれか１に記載の泡噴出ポンプ装置を備えるので、上記各効果を有する泡噴出ポンプ装置を備えた泡噴出器を提供することができる。
【図面の簡単な説明】
【図１】この発明による泡噴出ポンプ装置を備える泡噴出器の不使用時における縦断面図である。
【図２】その使用時にステムを押し込んだ状態の縦断面図である。
【図３】従来の泡噴出ポンプ装置の部分縦断面図である。
【符号の説明】
１０    容器
１１    泡噴出ポンプ装置
１４    押下げ釦
１４ｂ  縦流路
１４ｃ  横流路
１４ｅ  噴口
１４ｆ  乾燥防止用多孔部材
２７    泡立て用多孔部材
３７    泡立て用多孔部材
３８    吐出流路
【図１】
2004313925.tif 000003
【図２】
2004313925.tif 000004
【図３】
2004313925.tif 000005